(57)【要約】【課題】ユーザーがレシートをカメラ等で撮影することなく、簡単で正確に金銭の支払いと同時にリアルタイムに家計簿を携帯電話に表示する。【解決手段】家計簿作成システムは、携帯電話１と、携帯電話１に商品名と売上金額とを伝送する通信回路３を有するキャッシュレジスター２とを備える。携帯電話１は、キャッシュレジスター２の通信回路３から伝送される商品名と売上金額から家計簿を演算する演算部４と、この演算部４で演算される家計簿を表示する表示パネル５とを備える。家計簿作成システムは、キャッシュレジスター２の通信回路３でもって携帯電話１に商品名と売上金額を伝送し、携帯電話１は伝送される商品名と売上金額を演算して家計簿を演算して表示パネル５に表示する。【選択図】図１
2015043188.tif 000002
【特許請求の範囲】
【請求項１】
携帯電話(1)と、この携帯電話(1)に商品名と売上金額とを伝送する通信回路(3)を有するキャッシュレジスター(2)とを備え、
前記携帯電話(1)が、前記キャッシュレジスター(2)の通信回路(3)から伝送される商品名と売上金額から家計簿を演算する演算部(4)と、この演算部(4)で演算される家計簿を表示する表示パネル(5)とを備え、
前記キャッシュレジスター(2)から前記携帯電話(1)に商品名と売上金額が伝送され、前記携帯電話(1)が前記キャッシュレジスター(2)から伝送される商品名と売上金額を演算して家計簿を演算して前記表示パネル(5)に表示するようにしてなる家計簿作成システム。
【請求項２】
前記キャッシュレジスター(2)が、前記携帯電話(1)をセットするセット台(6)を有し、このセット台(6)にセットされた携帯電話(1)と前記通信回路(3)とが通信して、商品名と売上金額を前記携帯電話(1)に伝送する請求項１に記載される家計簿作成システム。
【請求項３】
前記キャッシュレジスター(2)の通信回路(3)が、前記携帯電話(1)に呼び出し信号を出力する呼び出し部(12)を有し、
前記携帯電話(1)は、呼び出し信号を受信して、キャッシュレジスター(2)に伝送する識別情報を記憶しており、
前記キャッシュレジスター(2)が、携帯電話(1)からの識別情報で携帯電話(1)を特定して、特定する携帯電話(1)に商品名と売上金額とを伝送する請求項１又は２に記載される家計簿作成システム。
【請求項４】
前記通信回路(3)が無線伝送、赤外線伝送、磁気誘導作用による伝送の何れかで商品名と売上金額とを前記携帯電話(1)に伝送する請求項１ないし３のいずれかに記載される家計簿作成システム。
【請求項５】
前記キャッシュレジスター(2)が前記携帯電話(1)に商品名と売上金額に加えて店名を伝送する請求項１ないし４のいずれかに記載される家計簿作成システム。
【請求項６】
前記キャッシュレジスター(2)が、商品名と売上金額とを伝送する複数の携帯電話(1)の各々の識別情報を記憶する記憶部(7)を有する請求項１ないし５のいずれかに記載される家計簿作成システム。
【請求項７】
前記携帯電話(1)がスマートフォン又はタブレットのいずれかである請求項１ないし６のいずれかに記載される家計簿作成システム。
【発明の詳細な説明】
【技術分野】
【０００１】
本発明は、リアルタイムに家計簿を演算できる家計簿作成システムに関し、ユーザーが入力することなく家計簿を演算して表示できる家計簿作成システムに関する。
【背景技術】
【０００２】
家計簿の入力を簡単にする家計簿作成システムは開発されている。（特許文献１及び２参照）
特許文献１の家計簿作成システムは、携帯電話と、レシート情報収集・管理サーバーと、家計簿作成・閲覧サーバーとを備える。携帯電話は、カメラでレシートを撮影して、撮影した画像を処理してテキストデーターに変換して、このテキストデーターのレシート情報をユーザーＩＤや携帯電話の端末情報などと一緒にレシート情報収集・管理サーバーに伝送して、家計簿作成・閲覧サーバーと情報の受け渡しをする。家計簿作成・閲覧サーバーは、レシート情報収集・管理サーバーからのレシート情報とユーザーＩＤと携帯電話の端末情報から、ユーザー毎の家計簿を作成し、ユーザーからの要求で、作成した家計簿を携帯電話端末やパソコンに送信する。この家計簿作成システムは、携帯電話のカメラでレシートを撮影して、撮影した画像を画像処理してテキストデーターのレシート情報を作成し、作成されたレシート情報をレシート情報収集・管理サーバーに伝送し、レシート情報収集・管理サーバーから家計簿作成・閲覧サーバーに、レシート情報とユーザーＩＤと携帯電話端末情報等を伝送して、家計簿作成・閲覧サーバーが家計簿を作成するので、携帯電話のカメラでレシートを撮影するのに手間がかかり、また、携帯電話で撮影したレシートを画像処理してテキストデーターのレシート情報を作成するので、この処理と回路が複雑となる欠点があり、さらに、ユーザーが家計簿作成・閲覧サーバーを呼び出して家計簿を表示するので、この作業にも手間がかかる欠点がある。
【０００３】
また、特許文献２の家計簿作成システムは、携帯電話などの携帯電話のカメラで、商品名、代金、購入日などの支払情報の印刷されたレシートを撮影し、画像データから支払情報を抽出し、抽出した支払情報を使用して家計簿情報を作成する。この家計簿作成システムも、レシートをカメラで撮影し、撮影するレシートを画像処理して支払情報を検出するので、レシートをカメラで撮影するのに手間がかかり、さらに撮影した画像を画像処理して支払情報を検出するので、この処理が複雑となるばかりでなく、正確に支払情報を検出するのが難しい欠点がある。
【先行技術文献】
【特許文献】
【０００４】
【特許文献１】特開２０１０−１３４４９２号公報
【特許文献２】特開２００６−３１８０８５号公報
【発明の概要】
【発明が解決しようとする課題】
【０００５】
本発明は、以上の欠点を解決することを目的に開発されたものである。本発明の重要な目的は、ユーザーがレシートをカメラ等で撮影することなく、簡単かつ容易に、しかも正確に、さらに金銭の支払いと同時にリアルタイムに家計簿を携帯電話に表示できる家計簿作成システムを提供することにある。
【課題を解決するための手段及び発明の効果】
【０００６】
本発明の家計簿作成システムは、携帯電話１と、この携帯電話１に商品名と売上金額とを伝送する通信回路３を有するキャッシュレジスター２とを備える。携帯電話１は、キャッシュレジスター２の通信回路３から伝送される商品名と売上金額から家計簿を演算する演算部４と、この演算部４で演算される家計簿を表示する表示パネル５とを備える。キャッシュレジスター２は携帯電話１に商品名と売上金額を伝送し、携帯電話１はキャッシュレジスター２から伝送されて来る商品名と売上金額を演算して家計簿を演算して表示パネル５に表示する。
本明細書において「携帯電話」はデジタイザなどのように通信機能を有する携帯できる端末を含む広い意味に使用する。
【０００７】
以上の家計簿作成システムは、ユーザーがレシートをカメラ等で撮影することなく、簡単かつ容易に、しかも正確に、さらに金銭の支払いと同時にリアルタイムに家計簿を携帯電話の表示パネルに表示できる特徴がある。それは、キャッシュレジスターが直接に携帯電話に商品名と売上金額とを伝送し、携帯電話がキャッシュレジスターから伝送される商品名と売上金額から家計簿を演算して表示パネルに表示するからである。
【０００８】
本発明の家計簿作成システムは、キャッシュレジスター２に、携帯電話１をセットするセット台６を設けて、セット台６にセットされた携帯電話１と通信して、商品名と売上金額を携帯電話１に伝送することができる。この家計簿作成システムは、ユーザーが携帯電話をセット台にセットすると、セットされた携帯電話にキャッシュレジスターから商品名と売上金額を伝送するので、ユーザーが携帯電話を操作することなく、簡単かつ速やかに、キャッシュレジスターから特定の携帯電話に商品名と売上金額を伝送できる特徴がある。
【０００９】
本発明の家計簿作成システムは、キャッシュレジスター２の通信回路３に、携帯電話１に呼び出し信号を出力する呼び出し部１２を設け、携帯電話１には、呼び出し信号を受信して、キャッシュレジスター２に伝送する識別情報を記憶させ、キャッシュレジスター２が、携帯電話１からの識別情報で携帯電話１を特定して、特定する携帯電話１に商品名と売上金額とを伝送することができる。
【００１０】
以上の家計簿作成システムは、キャッシュレジスターが識別情報で携帯電話を特定して、特定の携帯電話にのみ商品名と売上金額とを伝送するので、携帯電話を間違わずに商品名と売上金額とを伝送できる特徴がある。
【００１１】
本発明の家計簿作成システムは、キャッシュレジスター２の通信回路３でもって、商品名と売上金額を無線伝送し、あるいは赤外線伝送し、あるいは磁気誘導作用を利用する何れかの非接触式の伝送システムで商品名と売上金額とを携帯電話１に伝送することができる。
【００１２】
本発明の家計簿作成システムは、キャッシュレジスター２から携帯電話１に、商品名と売上金額に加えて店名を伝送することができる。この家計簿作成システムは、家計簿に商品を購入した店名も表示することができる。
【００１３】
本発明の家計簿作成システムは、キャッシュレジスター２に、商品名と売上金額とを伝送する複数の携帯電話１の各々の識別情報を記憶する記憶部７を設けることができる。この家計簿作成システムは、キャッシュレジスター２に記憶する識別情報から、ユーザーの携帯電話１に広告などに伝送することができる。
【００１４】
本発明の家計簿作成システムは、携帯電話１をスマートフォンやタブレットを使用することができる。携帯電話をスマートフォンとする家計簿作成システムは、手軽に持ち運びできる携帯電話に家計簿を表示でき、また携帯電話をタブレットとするシステムは、大きな表示パネルに家計簿を見やすく表示できる特徴がある。
【図面の簡単な説明】
【００１５】
【図１】本発明の一実施例にかかる家計簿作成システムのブロック図である。
【図２】本発明の他の実施例にかかる家計簿作成システムのブロック図である。
【発明を実施するための形態】
【００１６】
以下、本発明の実施例を図面に基づいて説明する。ただし、以下に示す実施例は、本発明の技術思想を具体化するための家計簿作成システムを例示するものであって、本発明は家計簿作成システムを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１７】
図１と図２に示す家計簿作成システムは、携帯電話１と、この携帯電話１と通信する通信回路３を有するキャッシュレジスター２とを備える。携帯電話１は、キャッシュレジスター２から伝送されてくる商品名と売上金額から、家計簿を演算する演算部４と、この演算部４で演算される家計簿を表示する表示パネル５とを備える。
【００１８】
携帯電話１は、スマートフォンやタブレットである。ただ、本発明は携帯電話をスマートフォンやタブレットには特定せず、キャッシュレジスターと通信でき、かつキャッシュレジスターから伝送される商品名と売上金額から家計簿を演算して表示できる全ての携帯できる端末を使用することができる。
【００１９】
キャッシュレジスター２は、スーパーマーケット、百貨店、コンビニ、ホームセンター、飲食店などの店舗に設置されて、携帯電話１のユーザーが購入した商品の名前と店舗に支払う金額である売上金額とを入力する入力部１１と、携帯電話１に商品名と売上金額を伝送する通信回路３を備える。通信回路３は、無線通信、赤外線通信、磁気誘導作用を利用して信号を伝送する方式など、非接触式で近距離に信号を伝送できる全ての方式のものが使用できる。
【００２０】
無線通信で商品名と売上金額を携帯電話１に伝送する通信回路３は、商品名と売上金額を示すデジタル信号で搬送波を変調して、この搬送波をアンテナに入電してアンテナから携帯電話１に無線伝送する送信器を備える。携帯電話１は、アンテナから送信される電波を受信する受信器を備える。受信器はキャッシュレジスター２の送信器から受信される電波を受信してデジタル信号を検出し、デジタル信号から商品名と売上金額を検出して携帯電話１の演算部４に出力する。
【００２１】
携帯電話１と赤外線通信する通信回路３は、商品名と売上金額を示すデジタル信号で赤外線発光ダイオードの出力を変化させて、赤外線を介して携帯電話１に商品名と売上金額をデジタル信号として伝送する。携帯電話１は、通信回路３からの赤外線を検出する受光素子を備える。受光素子で受光する赤外線からデジタル信号を検出し、このデジタル信号から商品名と売上金額を検出して演算部４に出力する。
【００２２】
磁気誘導作用で信号を伝送する方式は、送電コイル（図示せず）と受電コイル（図示せず）とを互いに接近して配置して、送電コイルから受電コイルに交流信号を伝送して、この交流信号で商品名と売上金額を伝送する。したがって、この方式で商品名と売上金額を伝送するシステムは、キャッシュレジスター２の通信回路３に送電コイルを、携帯電話１に受電コイルを設けている。通信回路３の送電コイルと、携帯電話１の受電コイルとを互いに接近させる状態に配置させて、送電コイルに供給する交流信号を、商品名と売上金額を示すデジタル信号で変調して、送電コイルから受電コイルに交流信号を伝送し、携帯電話１では受電コイルに伝送される交流信号から商品名デジタル信号を検出し、このデジタル信号から商品名と売上金額とを検出して演算部４に出力する。
【００２３】
以上の通信回路３は、商品名と売上金額をデジタル信号として携帯電話１に伝送するので、商品名と売上金額をより正確に間違いなく伝送できる。ただ、本発明の家計簿作成システムは、キャッシュレジスターから携帯電話に商品名と売上金額を伝送する方式を特定するものでなく、キャッシュレジスターから携帯電話に商品名と売上金額とを伝送する方式は、現在すでに使用され、あるいはこれから開発される全ての通信方式で伝送することができる。
【００２４】
図１のキャッシュレジスター２は、携帯電話１をセットするセット台６を備える。上面に携帯電話１を載せる載せプレート８を有し、この載せプレート８に携帯電話１がセットされたことを検出する。ただし、図示しないが、セット台を箱形として、ここに携帯電話を入れて携帯電話がセットされたことを検出することもできる。また、携帯電話が接近されることを検出する近接センサ（図示せず）を設けて、この近接センサに携帯電話が接近することを検出することもできる。
【００２５】
セット台６は通信回路３を内蔵しており、定位置にセットされた携帯電話１と通信して、商品名と売上金額を携帯電話１に伝送する。セット台６の通信回路３は、携帯電話１がセットされたことを検出する検出回路９を備える。この通信回路３は、携帯電話１がセット台６にセットされたことを検出回路９で検出して、商品名と売上金額を携帯電話１に伝送する。
【００２６】
検出回路９は、所定の周期で、たとえば１０ｍｓｅｃ〜１ｓｅｃの周期で呼び出し信号を出力する。呼び出し信号は、セット台６にセットされた携帯電話１に伝送される。携帯電話１は、呼び出し信号を受信して応答信号を出力する応答回路１０を備える。応答回路１０は、呼び出し信号を受信して、電話番号、メールアドレス、ユーザーＩＤ等の識別情報を含む応答信号を検出回路９に出力する。通信回路３は、検出回路９で応答信号を検出して、携帯電話１がセットされたことを検出し、また、識別情報からセットされる携帯電話１のユーザー名などを特定して、特定する携帯電話１にのみ商品名と売上金額を伝送する。通信回路３は、商品名と売上金額に加えて、店名や日付を携帯電話１に伝送することもできる。店名を受信する携帯電話１は、店名別に購入した商品名と売上金額とを選別して、リストとして表示パネル５に表示することができる。
【００２７】
以上のように、キャッシュレジスター２のセット台６に携帯電話１をセットしてセット台６と携帯電話１とを通信する構造は、磁気誘導作用で信号を伝送することで、キャッシュレジスター２から特定の携帯電話１に商品名と売上金額を伝送できる。この構造は、セット台６に送電コイルを、携帯電話１に受電コイルを設けて、受電コイルを送電コイルに接近して配置するように携帯電話１をセットして、磁気誘導作用で特定の携帯電話１に正確に信号を伝送する。ただ、通信回路は、数ｃｍ〜数十ｃｍの距離に信号を伝送する微弱電波による無線通信で、セット台と携帯電話とに信号を伝送でき、また赤外線の発光部と受光部とを対向して配置するように、携帯電話をセット台にセットして、赤外線通信でもって特定の携帯電話との間で信号を伝送することもできる。
【００２８】
応答信号の識別情報で携帯電話１を特定して、商品名と売上金額を伝送するキャッシュレジスター２は、特定の携帯電話１にのみ商品名と売上金額を確実に伝送できる。ただ、セット台６にセットされる携帯電話１に商品名と売上金額を伝送する通信回路３は、識別信号で携帯電話１を特定することなく、セット台６にセットされた携帯電話１にのみ商品名と売上金額を伝送できる。携帯電話１がセット台６に載せられて、セット台６と携帯電話１とが互いに近接するので、セット台６に近接する携帯電話１にのみ商品名と売上金額を伝送できるからである。
【００２９】
以上の家計簿作成システムは、店員がキャッシュレジスター２の入力部１１を操作して、商品名と売上金額を特定する状態で、ユーザーがセット台６に携帯電話１を載せると、セット台６の検出回路９が携帯電話１がセットされたことを検出して、商品名と売上金額を、さらに一緒に店名を携帯電話１に伝送する。通信回路３は、検出回路９で携帯電話１がセットされたことを検出し、かつ商品名と売上金額の入力が完了された状態で、商品名と売上金額を携帯電話１に伝送する。したがって、商品名と売上金額の入力が完了されない状態で、セット台６に携帯電話１がセットされると、商品名と売上金額の入力が完了された後、商品名と売上金額を携帯電話１に伝送する。ただ、商品名と売上金額とを入力しながら、携帯電話１に伝送することもできる。
【００３０】
識別情報を含む応答信号を受信するキャッシュレジスター２は、識別情報を記憶部７に記憶させる。記憶部７は半導体メモリ、ハードディスク、ＣＤＲＯＭで、複数の携帯電話の識別情報を記憶し、さらに識別情報で識別されるユーザーが購入した商品の商品名と売上金額と日付を記憶する。このキャッシュレジスター２は、記憶部７に記憶するデータから、商品を購入したユーザーに広告をメールなどで伝送することができる。
【００３１】
図２のキャッシュレジスター２は、セット台を設けることなく、キャッシュレジスター２に通信回路３を設けて、この通信回路３から携帯電話１に呼び出し信号を出力する。この通信回路３は、呼び出し信号を出力する呼び出し部１２を備える。呼び出し部１２は一定の周期で呼び出し信号を出力している。呼び出し部１２は、数ｃｍ〜数十ｃｍに接近する携帯電話１に呼び出し信号を出力する。携帯電話１は、図１の携帯電話１と同じように、呼び出し信号を受信して応答信号を出力する応答回路１０を備える。応答回路１０は、呼び出し信号を受信して、電話番号、メールアドレス、ユーザーＩＤ等の識別情報を含む応答信号を検出回路９に出力する。
【００３２】
キャッシュレジスター２の通信回路３は、呼び出し部１２で応答信号を検出し、応答信号の識別信号から接近する携帯電話１のユーザー名などを特定して表示する表示部１３を有する。表示部１３は、ユーザーから見える位置に配置される。ユーザーは、表示部１３に表示されるユーザー名などを見て確認する。ユーザーが確認した後、キャッシュレジスター２は携帯電話１に商品名と売上金額を伝送する。キャッシュレジスター２は、ユーザーを確認した後、商品名と売上金額を、確認した携帯電話１に伝送するために、確認ボタン１４を設けている。通信回路３は、確認ボタン１４からの信号を検出して、携帯端末に商品名と売上金額を伝送する。この通信回路３も、商品名と売上金額に加えて、店名や日付を携帯電話１に伝送することができる。店名を受信する携帯電話１は、店名別に購入した商品名と売上金額とを選別して、リストとして表示パネル５に表示することができる。
【００３３】
以上の家計簿作成システムは、店員がキャッシュレジスター２を操作して、商品名と売上金額を表示部１３に表示し、さらに、この表示部１３に携帯電話１のユーザー名などを表示して、ユーザー確認の後、確認ボタン１４からの信号で、商品名と売上金額を携帯電話１に伝送する。キャッシュレジスター２は、呼び出し信号を送信して、応答信号を受信すると、応答信号の識別信号からユーザー名などを表示する。ユーザー確認の後、確認ボタン１４が操作されると、確認ボタン１４からの信号で通信回路３は商品名と売上金額を確認された携帯電話１に伝送する。
【００３４】
このキャッシュレジスター２も、応答信号の識別情報を記憶部７に記憶し、さらに識別情報で識別されるユーザーが購入した商品の商品名と売上金額と日付を記憶して、記憶部７に記憶するデータから、商品を購入したユーザーに広告をメールなどで伝送することができる。
【００３５】
以上の家計簿作成システムは、店員がキャッシュレジスター２に、ユーザーが支払う商品の売上金額と商品名を入力した後、通信回路３でもって、商品名と売上金額とを特定の携帯電話１に伝送する。携帯電話１は、演算部４でもって、キャッシュレジスター２から伝送される商品名と売上金額から家計簿を演算し、演算する家計簿を表示パネル５に表示する。したがって、この家計簿作成システムは、ユーザーが商品名と売上金額を入力することなく、携帯電話１の表示パネル５に必要なときに家計簿を表示できる。携帯電話１は、演算部４と表示パネル５とメモリ（図示せず）とを備える。メモリは、演算部４でもって入力される商品名と売上金額から家計簿を演算し、表示パネル５に表示するソフトウエアを記憶している。
【産業上の利用可能性】
【００３６】
本発明の家計簿作成システムは、ユーザーがキー入力することなく、正確な家計簿を速やかに作成して、家計の経済状態を確認する。
【符号の説明】
【００３７】
１…携帯電話
２…キャッシュレジスター
３…通信回路
４…演算部
５…表示パネル
６…セット台
７…記憶部
８…載せプレート
９…検出回路
１０…応答回路
１１…入力部
１２…呼び出し部
１３…表示部
１４…確認ボタン
【図１】
2015043188.tif 000003
【図２】
2015043188.tif 000004